(57)【要約】【課題】屋根葺材の釘穴や、固定具でアスファルトルーフィングに開けられた穴を雨水が通過する可能性がある。【解決手段】樹脂チューブ10に金属製の固定具本体11を差し込み、該固定具本体11の先端を樹脂チューブ10より突出させると共に、この突出長さＬを屋根下地Ｗ側への固定具本体11のねじ込み長さＬ１より短く設定した固定具を、屋根下地Ｗ上に載置した屋根葺材１の釘穴２を貫通させて屋根下地Ｗにねじ込むことにより、樹脂チューブ10の下端がアスファルトルーフィングＡに接触後圧縮変形し、且つ樹脂チューブ10の上端内に固定具本体11の頭部13が埋没し、それに伴い樹脂チューブ10の上端が徐々に拡開しつつ、樹脂チューブ10の下端が押し潰され拡がってアスファルトルーフィングＡの上面に密着して、拡開した樹脂チューブ10の上端で屋根葺材１の釘穴２を、拡開した樹脂チューブ10の下端でアスファルトルーフィングＡに開けられた穴を閉鎖する。【選択図】図４
2019210794.tif 000002
【特許請求の範囲】
【請求項１】
屋根瓦における釘穴を貫通可能な樹脂チューブに金属製のネジ又は釘である固定具本体を差し込み、該固定具本体の先端を前記樹脂チューブより突出させると共に、この突出長さを屋根下地側への前記固定具本体の打込み長さより短く設定したことを特徴とする屋根瓦用固定具。
【請求項２】
請求項１記載の屋根瓦用固定具で固定される屋根瓦であって、
瓦本体の尻側下面に、中央に釘穴が貫通する突起を設け、該突起は、下端が葺設状態における屋根下地の上面より上方位置となる高さとしたことを特徴とする屋根瓦。
【発明の詳細な説明】
【技術分野】
【０００１】
本発明は、防水機能を有する屋根葺材用の固定具及び該固定具で固定される屋根葺材に関する。
【背景技術】
【０００２】
従来、防水機能を備えた屋根葺材用固定具としては、釘、ネジ等の固定具本体と、該固定具本体の頭部の直下に配した、葺設状態における屋根葺材の釘穴を塞ぐパッキンを有したものであったり（例えば、特許文献１、２参照）、或いは固定具本体の軸部の周囲部に、熱可塑性樹脂で、撥水性、伸縮性、粘性を備えたシリコーン系樹脂によるコーキング用樹脂層を形成したもの（例えば、特許文献３参照）が見受けられる。
【先行技術文献】
【特許文献】
【０００３】
【特許文献１】特開２００６−１１３５６３号公報
【特許文献１】登録実用新案第３０１６６２３号公報
【特許文献３】実開平７−１４２１１号公報
【発明の概要】
【発明が解決しようとする課題】
【０００４】
しかし、屋根下地に横桟木を使用しないで、屋根葺材を直接屋根下地に載置してネジ等の固定具で固定する場合、前者の固定具にあっては、釘穴を塞ぐためだけのものであるため、葺設状態の屋根葺材の隙間から雨水などが侵入して、アスファルトルーフィング上にまで到達してしまった場合、固定具でアスファルトルーフィングに開けられた穴を雨水が通過して野地板にまで到達してしまう可能性を否定出来ず、後者の固定具にあっては、固定具でアスファルトルーフィングに開けられた穴を塞ぐことは可能であるが、釘穴を塞ぐことが出来ず、上段の屋根葺材の頭側の隙間から侵入した雨水が、釘穴を通過して屋根下地側に到達してしまう可能性を否定出来ないなど、解決せねばならない課題があった。
【課題を解決するための手段】
【０００５】
本発明は、上記従来技術に基づく、固定具でアスファルトルーフィングに開けられた穴を雨水が通過して野地板にまで到達したり、釘穴を通過した雨水が屋根下地側に到達してしまう課題に鑑み、屋根葺材における釘穴を貫通可能な樹脂チューブに金属製のネジ又は釘である固定具本体を差し込み、該固定具本体の先端を前記樹脂チューブより突出させると共に、この突出長さを屋根下地側への前記固定具本体の打込み長さより短く設定した固定具を、屋根下地上に載置した屋根葺材の釘穴を貫通させて屋根下地に打ち込むことによって、樹脂チューブの下端が屋根下地に接触後圧縮変形し、且つ樹脂チューブの上端が固定具本体の頭部に押されて徐々に拡開し、樹脂チューブの下端が押し潰され拡がって屋根下地の上面に密着して、拡開した樹脂チューブの上端で屋根葺材の釘穴を、拡開した樹脂チューブの下端でアスファルトルーフィングに開けられた穴を閉鎖可能にして、上記課題を解決する。
【発明の効果】
【０００６】
要するに本発明は、屋根葺材における釘穴を貫通可能な樹脂チューブに金属製のネジ又は釘である固定具本体を差し込み、該固定具本体の先端を前記樹脂チューブより突出させると共に、この突出長さを屋根下地側への前記固定具本体の打込み長さより短く設定したので、この固定具を、屋根下地上に載置した屋根葺材の釘穴を貫通させて屋根下地に打ち込めば、樹脂チューブの上端が固定具本体の頭部により拡開して釘穴を塞ぐと共に、樹脂チューブの下端が屋根下地への押圧により拡開密着してアスファルトルーフィングに開けられた穴を塞ぐため、釘穴から屋根下地側への雨水の侵入を防止し、且つ他から入り込んだ雨水のアスファルトルーフィングに開けられた穴からの侵入を防止することが出来る。
而も、樹脂チューブにより固定具本体が屋根葺材に接触しないため、固定具本体に電食が発生せず、固定具本体の防蝕性の向上を図ることが出来、更に樹脂チューブは打込み時に圧縮変形し、それに伴い内部空気が排出されその状態が維持されるため、固定具本体の防蝕性の更なる向上を図ることが出来る。
【０００７】
請求項１記載の屋根葺材用固定具で固定される屋根葺材であって、瓦本体の尻側下面に、中央に釘穴が貫通する突起を設け、該突起は、下端が葺設状態における屋根下地の上面より上方位置となる高さとしたので、屋根下地側に横桟木が無くても、固定具の屋根葺材からの突出長さが短くなるため、屋根葺材の自重による下方側へのずれ落ちが抑止出来る等その実用的効果甚だ大である。
【図面の簡単な説明】
【０００８】
【図１（ａ）】本発明に係る屋根葺材用固定具の実施例１の正面図である。
【図１（ｂ）】図１（ａ）の屋根葺材用固定具の使用状態を示す正面図である。
【図２】図１（ａ）の屋根葺材用固定具で固定される屋根葺材の平面図である。
【図３】図２の屋根葺材の底面図である。
【図４】図２の屋根葺材を図１（ａ）の屋根葺材用固定具で屋根下地に固定した状態を示す断面図である。
【図５（ａ）】本発明に係る屋根葺材用固定具の実施例２の正面図である。
【図５（ｂ）】図５（ａ）の屋根葺材用固定具の使用状態を示す正面図である。
【図６】図５（ａ）の屋根葺材用固定具で固定される屋根葺材の平面図である。
【図７】図６の屋根葺材を図５の屋根葺材用固定具で屋根下地に固定した状態を示す断面図である。
【発明を実施するための形態】
【０００９】
以下、本発明に係る屋根葺材の実施の形態を図面に基づき説明する。
本発明に係る屋根葺材用固定具にあっては、一般的な陶磁器製瓦や、「カラーベスト」、「コロニアル」等と称される薄型スレート瓦等の屋根葺材１を屋根下地に固定するためのもので、基本的には、樹脂チューブ10に金属製のネジ又は釘である固定具本体11を差し込み、該固定具本体11の先端を樹脂チューブ10より突出させると共に、固定具本体11の樹脂チューブ10からの突出長さＬを、屋根下地Ｗ側への固定具本体11の打込み長さＬ１より短く設定している。
【実施例１】
【００１０】
本発明に係る屋根葺材用固定具の実施例１にあっては、図１（ａ）に示す様に、屋根葺材１における釘穴２を貫通可能な樹脂チューブ10に金属製のネジである固定具本体11を差し込んでいる。
【００１１】
樹脂チューブ10は、弾性を有し、且つ耐水性、耐候性、耐薬品性を有する、例えばシリコン樹脂の様な樹脂製としている。
【００１２】
固定具本体11は、鉄鋼材、ステンレス鋼材などの金属製の皿ネジで、軸部12の上端に頭部13を有しており、軸部12が樹脂チューブ10に挿通状態と成っている。
【００１３】
屋根葺材１は、図２、３に示す様な陶磁器製瓦で、略方形板状の瓦本体３の一側方にオーバーラップ部４を、他側方にアンダーラップ部５を、頭側に垂れ６を有する平板瓦で、尻側部位に２個の釘穴２、２を貫設し、尻側下面に２片の突片７、７を設け、該突片７、７の下端はアンダーラップ部５の下面より下方位置に設定している。
【００１４】
釘穴２、２は、瓦本体３の下面に設けた突起８、８の中央を貫通し、釘穴２、２の上方開口部は、瓦本体３の上面に形成した凹部９、９の底部に形成し、突起８、８の下端を、葺設状態における屋根下地Ｗの上面より上方位置に、好ましくはアンダーラップ部５の下面と同レベルに設定している。
【００１５】
そして、図４に示す様に、屋根葺材１を屋根下地ＷにおけるアスファルトルーフィングＡ上に載置すると共に、釘穴２を貫通させた固定具の固定具本体11の下端を、アスファルトルーフィングＡを貫通させ野地板Ｎにねじ込むことで、樹脂チューブ10は下端がアスファルトルーフィングＡの上面に接触した後に捩れながら圧縮変形し（図１（ｂ）参照）、その過程で樹脂チューブ10の上端内に固定具本体11の頭部13が埋没するのに伴い樹脂チューブ10の上端が徐々に拡開し、樹脂チューブ10の下端が押し潰され拡がって、アスファルトルーフィングＡの上面に密着する。
【実施例２】
【００１６】
本発明に係る屋根葺材用固定具の実施例２にあっては、図５（ａ）に示す様に、屋根葺材１における釘穴２を貫通可能な樹脂チューブ10に金属製の釘である固定具本体11を差し込んでいる。
【００１７】
樹脂チューブ10は、弾性を有し、且つ耐水性、耐候性、耐薬品性を有する、例えばシリコン樹脂の様な樹脂製としている。
【００１８】
固定具本体11は、鉄鋼材、ステンレス鋼材などの金属製の釘（図面上、スクリュー釘であるが、ストレート釘であっても良い）で、軸部12の上端に頭部13を有しており、軸部12が樹脂チューブ10に挿通状態と成っている。
【００１９】
屋根葺材１は、図６に示す様に薄型スレート瓦で、中間部に、幅方向に直列する複数個の釘穴２、２…を貫設している。
【００２０】
釘穴２、２…は、葺設状態における下方の屋根葺材１の尻側端部に沿う様に形成されている。
【００２１】
そして、図７に示す様に、屋根葺材１を屋根下地ＷにおけるアスファルトルーフィングＡ上に載置すると共に、釘穴２を貫通させた固定具の固定具本体11の下端を、アスファルトルーフィングＡを貫通させ野地板Ｎに打ち込むことで、樹脂チューブ10は下端がアスファルトルーフィングＡの上面に接触した後に圧縮変形し（図５（ｂ）参照）、その過程で樹脂チューブ10の上端が固定具本体11の頭部13に押されて徐々に拡開し、樹脂チューブ10の下端が押し潰され拡がって、アスファルトルーフィングＡの上面に密着する。
【００２２】
つまり、実施例１、２の固定具は、樹脂チューブ10の上方拡開部位14が固定具本体11の頭部13と屋根葺材１における釘穴２の口縁部位との間に位置して、頭部13を屋根葺材１に接触させずに釘穴２を塞ぎ、固定具本体11の軸部12は樹脂チューブ10により屋根葺材１には接触せず、樹脂チューブ10の下方拡開部位15で、固定具本体11でアスファルトルーフィングＡに開けられた穴が塞がれる。
又、地震により屋根葺材１が割れて脱落しても、本発明に係る固定具はそのまま残ってアスファルトルーフィングＡに開けられた穴を塞いだ状態のままとなるため、雨漏りを可能な限り抑止することが可能となる。
【００２３】
特に、図４の場合、屋根葺材１に突起８、８があることから、屋根下地Ｗに横桟木を設けずに、屋根葺材１を、突片７、７を屋根下地Ｗ上に直接接地させて載置し固定しても、固定具本体11の屋根葺材１からの突出長さが短くなって、屋根葺材１の自重による下方側へのずれ落ちを抑止出来、且つ横桟木を固定するための作業が不要となって、施工期間の短縮化及び施工コストの削減が図られ、而も屋根葺材１と屋根下地Ｗ間の通気性が向上すると共に、横桟木を固定するための釘、ネジなどによりアスファルトルーフィングＡに穴を開けずに葺設作業を行うことが可能となって、防水機能に優れた瓦屋根が構築可能となる。
又、屋根葺材１に凹部９、９があれば固定具自体の長さを短くすることが可能となる。
【００２４】
尚、図１（ｂ）及び図４では、樹脂チューブ10は単に上方拡開部位14及び下方拡開部位15が形成されているだけの状態として表現しているが、これはあくまでも簡易に説明せんがためのことであり、実際には、ネジである固定具本体11をねじ込むことにより、特に下方拡開部位15に捩れ変形が残った状態のままとなるが、図５（ｂ）及び図７では、釘である固定具本体11を打ち込むだけであるため、樹脂チューブ10は捩れ変形しない。
【００２５】
又、上記実施例１、２における固定具本体11は、屋根葺材１が陶磁器製瓦の場合にはネジで、薄型スレート瓦の場合には釘となっているが、ネジ又は釘のどちらであっても良い。
【符号の説明】
【００２６】
１    屋根葺材
２    釘穴
３    瓦本体
８    突起
10    樹脂チューブ
11    固定具本体
Ｌ    固定具本体の突出長さ
Ｌ１  固定具本体の打込み長さ
Ｗ    屋根下地
【図１（ａ）】
2019210794.tif 000003
【図１（ｂ）】
2019210794.tif 000004
【図２】
2019210794.tif 000005
【図３】
2019210794.tif 000006
【図４】
2019210794.tif 000007
【図５（ａ）】
2019210794.tif 000008
【図５（ｂ）】
2019210794.tif 000009
【図６】
2019210794.tif 000010
【図７】
2019210794.tif 000011